(57)【要約】【課題】ハードディスク装置とコネクタとの接続状態に対する螺子の締め付け具合の影響を低減できる電子機器を提供する。【解決手段】ハウジングの前板部７２には、ハードディスク装置３をハウジング７内に挿入するための開口であるハードディスク挿入口７２ａが形成される。回路基板５のコネクタ５１は、ハードディスク挿入口７２ａの奥部において、当該ハードディスク挿入口７２ａと向き合うように配置される。ハードディスク装置３を電子機器１に固定する固定具はハウジングの底板部７１から挿通される。【選択図】図９
2010244214.tif 000002
【特許請求の範囲】
【請求項１】
ハードディスク装置と、
前記ハードディスク装置と接続するコネクタが設けられた回路基板と、
前記ハードディスク装置と前記回路基板とを収容するハウジングであって、当該ハウジングの外面を構成する第１の外板部と、当該第１の外板部の縁から立ち上がる第２の外板部とを有するハウジングと、を備える電子機器であって、
前記第２の外板部には、前記ハードディスク装置を前記ハウジングに挿入するための開口であるハードディスク挿入口が形成され、
前記回路基板の前記コネクタは、前記ハードディスク挿入口の奥部において、当該ハードディスク挿入口と向き合うように配置され、
前記ハードディスク装置を前記電子機器に固定するピン状の固定具が前記第１の外板部から挿通されている、
ことを特徴とする電子機器。
【請求項２】
請求項１に記載の電子機器において、
前記ハードディスク装置を保持するホルダ本体と、前記ホルダ本体から張り出すように形成される取付プレートとを有するハードディスクホルダをさらに備え、
前記取付プレートには前記固定具が挿通される取付孔が形成され、
前記取付プレートは前記第１の外板部と沿うように設けられている、
ことを特徴とする電子機器。
【請求項３】
請求項２に記載の電子機器において、
前記第１の外板部に沿って配置されるシャーシをさらに備え、
前記シャーシと前記回路基板の少なくとも一方には、前記固定具が挿通される取付孔が形成され、
前記取付プレートの前記取付孔は、前記ハードディスク装置が前記回路基板の前記コネクタに嵌った時に、前記シャーシと前記回路基板の前記少なくとも一方の前記取付孔の位置に一致するように形成されている、
ことを特徴とする電子機器。
【請求項４】
請求項１に記載の電子機器において、
前記ハウジングに収容されるシャーシをさらに備え、
前記回路基板と前記シャーシは前記第１の外板部に沿って配置され、
前記回路基板と前記シャーシとには前記固定具が差し込まれる取付孔が形成されている、
ことを特徴とする電子機器。
【請求項５】
ハードディスク装置を保持し、当該ハードディスク装置とともに電子機器に対して挿入或いは取り外しされるハードディスクホルダであって、
前記ハードディスク装置の底面と向き合う底板部を有するホルダ本体と、
前記ホルダ本体から張り出し、前記ハードディスクホルダを前記電子機器に固定するピン状の固定具が挿通される取付孔が形成された板状の取付プレートと、を含み、
前記取付プレートは、前記底板部を含む平面に沿うように形成されている、
ことを特徴とするハードディスク装置のハードディスクホルダ。
【発明の詳細な説明】
【技術分野】
【０００１】
本発明は、ハードディスク装置の交換が可能に構成された電子機器、及び当該ハードディスク装置を保持するホルダに関する。
【背景技術】
【０００２】
ゲーム装置やパーソナルコンピュータなど、ハードディスク装置を備える電子機器には、電子機器のハウジングを空けることなく、ハードディスク装置の交換が可能に構成されたものがある（例えば、特許文献１）。このような電子機器では、ハウジングに、ハードディスク装置及びそのホルダを取り出し、挿入するための開口（以下、ハードディスク挿入口）が形成されている。
【先行技術文献】
【特許文献】
【０００３】
【特許文献１】特開２００３−２２４３７２号公報
【発明の概要】
【発明が解決しようとする課題】
【０００４】
電子機器が内蔵する回路基板には、ハードディスク装置と電気的に接続するコネクタが設けられている。基板上のコネクタがハードディスク挿入口と向き合うように配置された構造では、ハードディスク装置の挿入方向とコネクタの嵌合方向とが同じになる。このように構造において、ハードディスク装置を保持するホルダを回路基板やシャーシに固定するピン状の固定具（例えば、螺子やボルト）が、ハードディスク装置の挿入方向と同じ方向に差し込まれる場合、螺子の締め付けの過不足が、ハードディスク装置とコネクタとの接続状態に影響し、ハードディスク装置をコネクタに対して適切に取り付けるのが難しい。
【０００５】
本発明は、上記課題を鑑みてなされたものであって、ハードディスク装置とコネクタとの接続状態に対する固定具の締め付け具合の影響を低減できる電子機器及びハードディスク装置を保持するホルダを提供することにある。
【課題を解決するための手段】
【０００６】
上記課題を解決するために、本発明に係る電子機器は、ハードディスク装置と、前記ハードディスク装置と接続するコネクタが設けられた回路基板と、前記ハードディスク装置と前記回路基板とを収容するハウジングであって、当該ハウジングの外面を構成する第１の外板部と、当該第１の外板部の縁から立ち上がる第２の外板部とを有するハウジングと、を備える。前記第２の外板部には、前記ハードディスク装置を前記ハウジング内に挿入するための開口であるハードディスク挿入口が形成され、前記回路基板の前記コネクタは、前記ハードディスク挿入口の奥部において、当該ハードディスク挿入口と向き合うように配置される。そして、前記ハードディスク装置を前記電子機器に固定するピン状の固定具は前記第１の外板部から挿通されている。
【０００７】
本発明によれば、第２の外板部にハードディスク挿入口が形成される一方で、固定具は第１の外板部から挿通されているので、ハードディスク装置とコネクタとの接続状態に対する固定具の締め付け具合の影響を低減できる。
【０００８】
また、本発明の一態様では、前記電子機器は、前記ハードディスク装置を保持するホルダ本体と、前記ホルダ本体から張り出すように形成される取付プレートとを有するハードディスクホルダをさらに備えてもよい。そして、前記取付プレートには前記固定具が挿通される取付孔が形成され、前記取付プレートは前記第１の外板部と沿うように設けられてもよい。この態様によれば、ハードディスク装置とコネクタとの接続状態に対する固定具の締め付けの影響を低減するとともに、ハードディスクホルダを介してハードディスク装置を電子機器に固定できる。
【０００９】
また、この態様では、前記電子機器は、前記第１の外板部に沿って配置されるシャーシをさらに備えてもよい。そして、前記シャーシと前記回路基板の少なくとも一方には、前記固定具が挿通される取付孔が形成され、前記取付プレートの前記取付孔は、前記ハードディスク装置が前記回路基板の前記コネクタに嵌った時に、前記シャーシと前記回路基板の前記少なくとも一方の前記取付孔の位置に一致するように形成されてもよい。この態様によれば、作業者は、取付孔の位置が一致したか否かに応じて、ハードディスク装置がコネクタに適切に嵌ったか否かを判断できる。
【００１０】
また、本発明の一態様では、前記電子機器は前記ハウジングに収容されるシャーシをさらに備え、前記回路基板と前記シャーシは前記第１の外板部に沿って配置され、前記回路基板と前記シャーシとには前記固定具が差し込まれる取付孔が形成されてもよい。この態様によれば、ハードディスク装置を固定する固定具を用いて、回路基板をシャーシに固定できるので、電子機器の部品数を減らせる。
【００１１】
また、本発明に係るハードディスクホルダは、ハードディスク装置を保持し、当該ハードディスク装置とともに電子機器に対して挿入或いは取り外しされるハードディスクホルダである。前記ハードディスクホルダは、前記ハードディスク装置の底面と向き合う底板部を有するホルダ本体と、前記ホルダ本体から張り出し、前記ハードディスクホルダを前記電子機器に固定するピン状の固定具が挿通される取付孔が形成された板状の取付プレートとを含む。そして、前記取付プレートは、前記底板部を含む平面に沿うように形成されている。
【００１２】
本発明では、取付孔が形成された取付プレートは、ハードディスク装置の底面と向き合う底板部を含む平面に沿うように設けられている。そのため、ハードディスク装置と回路基板上に設けられたコネクタとの接続状態に対する固定具の締め付け具合の影響を低減できる。
【図面の簡単な説明】
【００１３】
【図１】本発明の実施形態の例である電子機器の斜視図である。
【図２】上記電子機器の正面図であり、同図では、ハードディスク装置が接続されるコネクタが破線で示されている。
【図３】上記電子機器の底面図である。
【図４】上記電子機器が有する下ハウジングと、ハードディスク装置の斜視図である。同図では、下ハウジングに上シャーシが配置されている。
【図５】上記電子機器が有する下ハウジング、下シャーシ、回路基板、上シャーシの分解斜視図である。
【図６】上記下ハウジングの斜視図である。
【図７】上記上シャーシの斜視図である。
【図８】上記ハードディスク装置を保持するハードディスクホルダの斜視図である。
【図９】図２に示すＩＸ−ＩＸ線での断面図である。
【図１０】図９に示すＸ−Ｘ線での断面図である。
【図１１】上記下ハウジングの前部の斜視図である。同図では、下ハウジングに形成された開口を閉じるキャップが取り外された状態の下ハウジングが示されている。
【図１２】ハードディスク挿入口を閉じる挿入口キャップの斜視図である。
【図１３】上記下ハウジングに形成された開口を閉じるキャップの斜視図である。
【発明を実施するための形態】
【００１４】
以下、本発明の一実施形態について図面を参照しながら説明する。図１は本発明の実施形態の例である電子機器１の斜視図である。図２は電子機器１の正面図であり、同図では、ハードディスク装置３が接続されるコネクタ５１が破線で示されている。図３は電子機器１の底面図である。図４は電子機器１が有する下ハウジング７０と、ハードディスク装置３の斜視図である。同図では、下ハウジングに上シャーシが配置されている。図５は、電子機器１が有する下ハウジング７０、下シャーシ４、回路基板５、上シャーシ６の分解斜視図である。図６は下ハウジング７０の斜視図であり、図７は上シャーシ６の斜視図である。図８はハードディスク装置３を保持するハードディスクホルダ８の斜視図である。図９は図２に示すＩＸ−ＩＸ線断面図であり、図１０は図９に示すＸ−Ｘ線での断面図である。図１１は下ハウジング７０の前部の斜視図であり、同図では、下ハウジング７０に形成された開口７１ｃを閉じるキャップ１４が取り外された状態の下ハウジング７０が示されている。
【００１５】
図１又は図２に示すように、電子機器１は、その外面を構成するハウジング７を備えている。ハウジング７は上方に開いた下ハウジング７０と、当該下ハウジング７０に上方から被さるように配置され、下ハウジング７０を上方から閉じる上ハウジング７６とを備えている。
【００１６】
上ハウジング７６は、下ハウジング７０に向き合うように配置される上板部７６ａを有している。また、上ハウジング７６は、上板部７６ａの前縁から下ハウジング７０に向かって下がる左前板部７６ｂと右前板部７６ｃとを有している。電子機器１は、例えば、ゲーム装置やオーディオ・ビジュアル機器であり、右前板部７６ｃには、光ディスクなど、可搬型の記憶媒体を挿入するためのメディア挿入口７６ｄが形成されている。また、右前板部７６ｃの手前には、複数の操作ボタン１１ａが設けられた操作パネル１１が配置されている。
【００１７】
図２、図３又は図６に示すように、下ハウジング７０は略矩形の底板部（第１の外板部）７１を有している。底板部７１は電子機器１の底を構成し、電子機器１は、その使用の一形態では、底板部７１が設置面に向き合うように設置面上に配置される。下ハウジング７０は、底板部７１の前縁から立ち上がる前板部（第２の外板部）７２と、底板部７１の左右の縁から立ち上がる横板部７３とを有している。また、ハウジング７は、その前部が前板部７２よりさらに前に張り出す形状を有しており、下ハウジング７０は、前板部７２の上縁から前に伸びる前底部７４を有している。なお、上述した操作パネル１１は、この前底部７４の上方に配置されている。
【００１８】
電子機器１は、その内部に、ハードディスク装置３と当該ハードディスク装置３を保持するハードディスクホルダ８とを備えている（図４参照）。図２に示すように、ハウジング７には、ハードディスク装置３及びハードディスクホルダ８を電子機器１から取り外し又は電子機器１に挿入するための開口であるハードディスク挿入口７２ａが形成されている。この例では、ハードディスク挿入口７２ａは、下ハウジング７０の前板部７２に形成されている。上述したように、ハウジング７は、その前部が前板部７２より前に張り出した形状を有しており、ハードディスク挿入口７２ａは、電子機器１を斜め上方から臨んだ時には、上ハウジング７６の前部或いは前底部７４と向き合う操作パネル１１によって隠される（図１参照）。
【００１９】
この例では、ハードディスク挿入口７２ａは、前板部７２において左右方向の一方側（ここでは、右側）に形成されており、前板部７２の端部から、当該前板部７２の中央に向かって伸びるように形成されている。そのため、後述するように、ハードディスク挿入口７２ａから挿入されたハードディスク装置３及びハードディスクホルダ８は下ハウジング７０の横板部７３に沿って配置される（図９参照）。
【００２０】
図２又は図４に示すように、電子機器１は、ハードディスク挿入口７２ａに対応した形状の挿入口キャップ１２を備えている。挿入口キャップ１２は、ハードディスク挿入口７２ａの縁に装着されて、当該ハードディスク挿入口７２ａを閉塞する。図１２は、挿入口キャップ１２の斜視図である。図１２に示すように、挿入口キャップ１２には、ハードディスク挿入口７２ａの縁に引っ掛かる爪部１２ａが形成されている。また、上述したように、ハードディスク挿入口７２ａは前板部７２の端部から中央に向かって伸びるように形成されている。挿入口キャップ１２の端部１２ｃは、横板部７３側に屈曲しており、当該端部１２ｃには横板部７３の縁に形成された孔７３ｄに嵌る突起１２ｂが形成されている（図９参照）。
【００２１】
図５に示すように、電子機器１は、集積回路（不図示）など各種電子部品が実装される回路基板５を有している。また、電子機器１は、ハウジング７及び回路基板５を補強するとともに電子機器１が内蔵する装置（例えば、電源回路や可搬型の記憶媒体の読み取り装置）が取り付けられる上シャーシ６と下シャーシ４とを有している。下シャーシ４と、上シャーシ６と、回路基板５は、板状の部材であり、それぞれ底板部７１に沿うように配置されている。すなわち、下シャーシ４と、上シャーシ６と、回路基板５は、底板部７１と平行に配置され、互いに重なり合っている。この例では、下シャーシ４と上シャーシ６との間に回路基板５が配置されている。
【００２２】
下シャーシ４と、回路基板５と、上シャーシ６は、下方から差し込まれるピン状の固定具（例えば、螺子（不図示））によって下ハウジング７０に固定されている。詳細には、図５又は図６に示すように、下ハウジング７０の底板部７１には、その周縁に沿って複数の取付孔７１ａが形成されている。また、図５に示すように、回路基板５の外周縁には、複数の取付孔５ａが形成され、下シャーシ４の外周縁４ｅには、取付孔４ａが形成されている。さらに、上シャーシ６の外周縁６ｅにも、図７に示すように、取付孔６ａが形成されている。各部材に形成された取付孔７１ａ，４ａ，５ａ，６ａの位置は互いに対応しており、底板部７１、下シャーシ４、回路基板５、及び上シャーシ６は、共通の螺子で固定される。すなわち、一本の螺子が取付孔７１ａ，４ａ，５ａ，６ａに挿通されて、下シャーシ４、回路基板５、及び上シャーシ６を底板部７１に固定する。
【００２３】
なお、下シャーシ４の外周縁４ｅの位置は、当該下シャーシ４の他の部分の位置より高くなっており、外周縁４ｅは底板部７１から離れて位置し、回路基板５の裏面に接している。また、図７に示すように、上シャーシ６の外周縁６ｅの位置は上シャーシ６の他の部分の位置に比べて低くなっている。そのため、上シャーシ６の外周縁６ｅは回路基板５の表面に接している。外周縁６ｅの内側の部分と回路基板５との間には隙間が設けられ、その隙間に回路基板５上の電子部品が位置している。
【００２４】
図５又は図９に示すように、回路基板５は、矩形の一部が切り欠かれた形状を有している。すなわち、回路基板５の前縁５ｂには後方（図５においてＹ１の示す方向）に凹んだ凹部５ｃが形成されている。ここでは、凹部５ｃは回路基板５の角に位置しており、回路基板５は、矩形の角が切り欠かれた形状となっている。凹部５ｃは、ハードディスク挿入口７２ａの奥部に位置するとともに、その形状はハードディスク装置３の形状に対応している。すなわち、凹部５ｃは略矩形を呈している。
【００２５】
また、図５に示すように、下シャーシ４は、回路基板５と同様に、矩形の一部が切り欠かれた形状を有している。すなわち、下シャーシ４の前縁４ｂにも後方に凹んだ凹部４ｃが形成されている。凹部４ｃも、ハードディスク挿入口７２ａの奥部に位置するとともに、その形状は、回路基板５の凹部５ｃと同様に、ハードディスク装置３の形状に対応している。
【００２６】
そのため、ハードディスク挿入口７２ａから挿入されたハードディスク装置３及びハードディスクホルダ８は、下ハウジング７０の底板部７１に接した状態で、凹部５ｃ，４ｃの内側に配置される（図９参照）。すなわち、ハードディスク装置３とハードディスクホルダ８は、その側面が凹部５ｃ，４ｃの縁と横板部７３とに囲まれるようにして、下ハウジング７０の底板部７１上に配置される。
【００２７】
回路基板５の凹部５ｃの縁には、ハードディスク装置３と回路基板５とを電気的に接続するためのコネクタ５１が実装されている。この例では、コネクタ５１は、略直方体状を呈し、凹部５ｃの縁から前方（図５においてＹ２の示す方向）に張り出すようにして回路基板５に実装されている。そして、コネクタ５１は、ハードディスク挿入口７２ａと向き合うように、当該ハードディスク挿入口７２ａの奥部に配置されている（図２参照）。そのため、上述した挿入口キャップ１２が取り外されると、コネクタ５１がハードディスク挿入口７２ａから露呈する。ハードディスク装置３のコネクタ５１と対向する面（以下、接続面）３ａには、コネクタ５１に嵌るコネクタ部（不図示）が形成されている（図９参照）。コネクタ５１は、ハードディスク装置３との嵌合方向が、ハードディスク装置３のハードディスク挿入口７２ａへの挿入方向（図９においてＤｉの示す方向（この例では、後方））と一致するように配置されている。また、コネクタ５１は、ハードディスク装置３の挿入時に、ハードディスク装置３の接続面３ａのコネクタ部と正対するように配置されている。
【００２８】
図４又は図７に示すように、上シャーシ６は、ハードディスク挿入口７２ａの奥部に位置する、ハードディスク装置３が収容される空間を囲む収容部６１を有している。収容部６１は、ハードディスク装置３の形状に対応した形状を有している。すなわち、ハードディスク装置３は平たい直方体状を呈しており、収容部６１は、前方、下方及び右方向に開いた箱状を呈している。具体的には、収容部６１は、ハードディスク挿入口７２ａから後方に伸びるように配置され、ハードディスク装置３を上方から覆う上壁部６１ａを有している。また、収容部６１は、上壁部６１ａの縁から下がるとともにハードディスク装置３の左右の一方側の側面（この例では左側面）と向き合う横壁部６１ｂを有している。そして、収容部６１は、下ハウジング７０の底板部７１、横板部７３、及びハードディスク挿入口７２ａに向かう方向へは開口している。また、収容部６１の位置は、回路基板５の凹部５ｃと下シャーシ４の凹部４ｃの位置に対応している。すなわち、収容部６１の上壁部６１ａの下方に凹部５ｃ，４ｃが位置している。なお、上壁部６１ａ及び横壁部６１ｂには複数の通気孔が形成されており、ハウジング７内を流れる空気はこの通気孔を通ってハードディスク装置３を冷却する。
【００２９】
図４又は図９に示すように、ハードディスクホルダ８は、コネクタ部が設けられた接続面３ａを露出させた状態で、当該ハードディスク装置３を保持している。すなわち、図８に示すように、ハードディスクホルダ８はホルダ本体８０を有し、ホルダ本体８０は、ハードディスク装置３の底面と向き合う底板部８１と、当該底板部８１の左右の縁から立ち上がり、ハードディスク装置３の接続面３ａとは異なる面と向き合う横板部８２Ｒ，８２Ｌとを有している。横板部８２Ｒ，８２Ｌは、ハードディスク装置３を左右から挟むように形成されており、これによってホルダ本体８０はハードディスク装置３を保持している。この例では、横板部８２Ｌは、底板部８１に対して上方に屈曲し、横板部８２Ｌ，８２Ｒの間隔は、ハードディスク装置３の幅より僅かに小さくなっている。ハードディスク装置３は、ホルダ本体８０がその形状を維持しようとする力に抗して横板部８２Ｌ，８２Ｒの間に嵌められている。なお、底板部８１には、ハードディスク装置３をハードディスクホルダ８に固定する螺子（不図示）が差し込まれる孔８１ｅが形成されている。また、底板部８１には、ハウジング７内を流れる空気をハードディスク装置３に流通させるための複数の通気孔が形成されている。また、ホルダ本体８０は、ハードディスク装置３の接続面３ａとは反対側の面に向き合う後壁部８４を有している。この後壁部８４には取っ手８４ａが設けられている。
【００３０】
ハードディスク装置３を電子機器１に固定する構造について説明する。
【００３１】
図１０に示すように、ハードディスク装置３はピン状の固定具（この例では、螺子１３）によって電子機器１に固定されている。螺子１３は、ハードディスク装置３の挿入方向及びコネクタ５１の嵌合方向に対して直交する方向から挿通されている。また、螺子１３は、コネクタ５１の上面と、ハードディスク装置３の上面（接続面３ａの縁から、当該接続面３ａとは反対側の面の縁まで伸びる面のうち広い幅を有する面（図９参照））３ｂに対して直交する方向から挿通されている。ここでは、ハードディスク装置３は底板部７１に沿うように配置されており、螺子１３の挿通方向は、底板部７１と回路基板５と下シャーシ４と上シャーシ６とが重なる方向（ここでは、上下方向）となっている。すなわち、螺子１３は、下ハウジング７０の底板部７１の下方から挿通され、その挿通方向は回路基板５等に対して垂直となっている。この螺子１３によってハードディスクホルダ８が下シャーシ４と、回路基板５と、上シャーシ６とに固定されている。
【００３２】
詳細には、図１１に示すように、下ハウジング７０の底板部７１には開口７１ｃが形成されている。この開口７１ｃは、ハードディスク挿入口７２ａの奥部に位置している。また、開口７１ｃの位置は、下ハウジング７０の横板部７３から、ハードディスク装置３の幅に対応した大きさだけ、右方向又は左方向に離れている（図９参照）。なお、この例では、開口７１ｃの位置は、横板部７３から左方向に離れている。図５乃至図７に示すように、上シャーシ６と、回路基板５と、下シャーシ４とには、取付孔６ｄ，５ｄ，４ｄが形成され、これらの取付孔６ｄ，５ｄ，４ｄの位置は、開口７１ｃの位置に対応している。すなわち、取付孔６ｄ，５ｄ，４ｄは、開口７１ｃの上方に位置し、取付孔６ｄ，５ｄ，４ｄ及び開口７１ｃは、上下方向に連なっている。
【００３３】
なお、この例では、回路基板５の取付孔５ｄは、凹部５ｃの縁のうちハードディスク装置３の挿入方向に伸びる縁５ｅの端部に形成さている（図９参照）。同様に、下シャーシ４の取付孔４ｄは、凹部４ｃの縁のうち、ハードディスク装置３の挿入方向に伸びる縁４ｆの端部に形成されている（図５参照）。また、上シャーシ６の取付孔６ｄは、収容部６１の横壁部６１ｂに隣接して設けられている（図７参照）。
【００３４】
ハードディスクホルダ８には、図８に示すように、底板部８１から、横板部８２の位置を越えて側方（この例では、左方向（Ｘ２に示す方向）に張り出す板状の取付プレート８３が設けられている。取付プレート８３は、底板部８１を含む平面に沿って形成されている。すなわち、取付プレート８３は底板部８１と平行となっている。また、上述したように、ハードディスクホルダ８がハードディスク装置３とともにハードディスク挿入口７２ａから挿入された時には、これらは底板部７１に沿って配置される。そのため、図１０に示すように、ハードディスクホルダ８がハードディスク挿入口７２ａから挿入された時には、取付プレート８３は、底板部７１と向き合うよう配置される。取付プレート８３には、当該取付プレート８３を上下方向に貫通する取付孔８３ａが形成されており、この取付孔８３ａの位置も、開口７１ｃ、及び取付孔６ｄ，５ｄ，４ｄの位置に一致している。すなわち、ハードディスク装置３の接続面３ａに設けられたコネクタ部が回路基板５のコネクタ５１に嵌り、ハードディスク装置３がコネクタ５１に対する正規の位置に配置された状態では、すなわち、ハードディスク装置３のコネクタ部とコネクタ５１との電気的な接触が十分に確保された状態では、取付孔８３ａは、開口７１ｃ、取付孔６ｄ，５ｄ，４ｄと上下方向に並ぶ（図１０参照）。螺子１３は、開口７１ｃを通って取付孔８３ａ，６ｄ，５ｄ，４ｄに挿通され、ハードディスクホルダ８を下シャーシ４と、回路基板５と、上シャーシ６とに固定する。すなわち、この例では、上シャーシ６の取付孔６ｄには螺子溝が形成されており、螺子１３を締め付けることによって、下シャーシ４、回路基板５、取付プレート８３、及び後述する挿入口キャップ１２の取付部１２ｄが上シャーシ６に固定され、これによって、ハードディスクホルダ８は下シャーシ４と、回路基板５と、上シャーシ６とに固定されている。
【００３５】
なお、図８に示すように、取付孔８３ａは、ハードディスク装置３の挿入方向に長い長孔となっている。取付孔８３ａによって許容される限度でコネクタ５１から最も離れた位置に、ハードディスク装置３が配置された場合であっても、ハードディスク装置３のコネクタ部とコネクタ５１との電気的接続が適切に確保されるように、取付孔８３ａの大きさは設定されている。
【００３６】
上述したように、ハードディスク挿入口７２ａは、挿入口キャップ１２によって閉じられている。この挿入口キャップ１２も、ハードディスクホルダ８とともに螺子１３によって電子機器１に固定されている。詳細には、図１０又は図１２に示すように、挿入口キャップ１２には、ハウジング７の内部に向かって、底板部７１に沿って突出する板状の取付部１２ｄが形成され、取付部１２ｄには、当該取付部１２ｄを上下方向に貫通する取付孔１２ｅが形成されている。挿入口キャップ１２がハードディスク挿入口７２ａに装着された時には、取付部１２ｄも開口７１ｃの上方に位置し、取付部１２ｄの取付孔１２ｅは、取付孔８３ａ，６ｄ，５ｄ，４ｄと上下方向に並ぶ。そして、螺子１３は取付孔１２ｅにも挿通される。
【００３７】
上述したように、下シャーシ４の外周縁４ｅの位置は、当該下シャーシ４の他の部分より高くなっており、底板部７１から離れている。そのため、図１０に示すように、下シャーシ４の取付孔４ｄが形成された部分と、底板部７１との間には隙間が設けられている。そして、ハードディスクホルダ８がハードディスク装置３とともにハードディスク挿入口７２ａから挿入された時には、取付プレート８３は下シャーシ４と底板部７１との間に嵌る。また、挿入口キャップ１２の取付部１２ｄも、下シャーシ４と底板部７１との間に嵌る。特に、この例では、取付部１２ｄは、この取付プレート８３と底板部７１との間に嵌っている。なお、開口７１ｃは、取付孔８３ａ，６ｄ，５ｄ，４ｄよりも大きくなっており、挿入口キャップ１２がハードディスク挿入口７２ａに装着される前では、開口７１ｃから取付プレート８３が露呈している。作業者は、開口７１ｃから、取付プレート８３の取付孔８３ａの位置が取付孔６ｄ，５ｄ，４ｄと一致したか否かを視認できる。そして、これによって、作業者は、コネクタ５１に対するハードディスク装置３の位置が適切か否かを判断できる。
【００３８】
また、取付孔５ｄが形成された回路基板５の縁５ｅの端部と、取付孔４ｄが形成された下シャーシ４の縁４ｆの端部は、挿入口キャップ１２が取り外された時に、ハードディスク挿入口７２ａから露呈する。作業者は、ハードディスクホルダ８とハードディスク装置３とをハードディスク挿入口７２ａに挿入する際、回路基板５の縁５ｅと下シャーシ４の縁４ｆとを見ながら、それらの縁５ｅ，４ｅと下ハウジング７０の底板部７１との間に取付プレート８３を嵌めることができる。
【００３９】
図９に示すように、ハードディスクホルダ８における取付プレート８３の位置は、コネクタ部が設けられた接続面３ａから、ハードディスク装置３の挿入方向とは反対方向に離れている。つまり、取付プレート８３は、ハードディスクホルダ８がハードディスク装置３とともにハードディスク挿入口７２ａから挿入された時に、ハードディスク挿入口７２ａ寄りに位置するように形成されている。この例では、取付プレート８３は、底板部８１の縁における接続面３ａから最も離れた部分から側方に張り出している。そのため、ハードディスク装置３のコネクタ部が回路基板５のコネクタ５１に嵌った時においても、取付孔８３ａはコネクタ５１から離れて位置する。その結果、ハードディスク装置３のコネクタ５１に対するがたつきを低減できている。つまり、取付プレートが接続面に近い位置に設けられている場合には、ハードディスク装置がコネクタに嵌った時に、取付プレートがコネクタに近接する。このような態様に比べて、取付プレート８３が接続面３ａから離れている電子機器１では、螺子１３の緩みに起因する、コネクタ５１に対するハードディスク装置３のがたつきが小さくなる。
【００４０】
なお、図３又は図１１に示すように、下ハウジング７０の底板部７１に形成された開口７１ｃには、当該開口７１ｃから取り外し可能なキャップ１４が装着されている。開口７１ｃは、キャップ１４によって閉塞されている。
【００４１】
図１３は、キャップ１４の斜視図である。キャップ１４は、開口７１ｃから取り外された時に、底板部７１からの脱落が阻止されるように形成されている。つまり、キャップ１４は、開口７１ｃから取り外された時に、底板部７１に引っ掛かった状態が維持されるように形成されている。詳細には、底板部７１には、開口７１ｃに加えて、当該開口７１ｃに隣接する孔７１ｄが形成されている（図１１参照）。図１３に示すように、キャップ１４には、上方に突出し、開口７１ｃに嵌る係合部１４ａと、上方に突出し、孔７１ｄに嵌る係合部１４ｂ，１４ｃとが形成されている。係合部１４ａは、略円筒状に形成され、その外周面に開口７１ｃの縁に引っ掛かる爪部１４ｅが形成されている。係合部１４ｂ，１４ｃの先端も、孔７１ｄの縁に引っ掛かる爪状に形成されている。また、係合部１４ｂは、係合部１４ｃより長くなっている。キャップ１４が開口７１ｃ及び孔７１ｄを閉じている状態では、係合部１４ａの爪部１４ｅは開口７１ｃの縁に引っ掛かり、係合部１４ｃは孔７１ｄの縁に引っ掛かっている。係合部１４ａの爪部１４ｅの引っ掛かりが解消され、キャップ１４が開口７１ｃから取り外された時には、係合部１４ｃと孔７１ｄの縁との引っ掛かりが解消され、係合部１４ｂが孔７１ｄの縁に引っ掛かる。これによって、キャップ１４は、開口７１ｃから取り外された時においても、係合部１４ｂにおいて底板部７１に引っ掛かった状態が維持される。なお、キャップ１４は、係合部１４ｂの引っ掛かりが解消されることによって、底板部７１から分離され得る。
【００４２】
ハードディスク装置３の取り付け作業について説明する。まず、作業者は、ハードディスクホルダ８に装着したハードディスク装置３を、下ハウジング７０のハードディスク挿入口７２ａから挿入し、後方に（コネクタ５１に向かって）移動させる。上述したように、ハードディスク挿入口７２ａの位置は横板部７３側に寄っている。また、ハードディスク挿入口７２ａの後方には、回路基板５の凹部５ｃと下シャーシ４の凹部４ｃが位置している。そのため、ハードディスク挿入口７２ａから挿入されたハードディスク装置３とハードディスクホルダ８は、下ハウジング７０の横板部７３と底板部７１とに沿って後方に移動する。この例では、図６に示すように、底板部７１には、ハードディスク挿入口７２ａからハードディスク装置３の挿入方向に伸びるガイド７１ｅが形成されている。一方、ハードディスクホルダ８の底板部８１には、ガイド７１ｅによって案内される被ガイド部８１ｂが形成されており（図８参照）、ハードディスクホルダ８とハードディスク装置３は、ガイド７１ｅに沿って移動する。
【００４３】
上述したように、コネクタ５１は、ハードディスク装置３の接続面３ａに設けられたコネクタ部と正対するように配置されており、作業者がハードディスク装置３を後方に押すと、ハードディスク装置３のコネクタ部はコネクタ５１に嵌る。そして、ハードディスク装置３が、回路基板５のコネクタ５１に嵌る位置まで達した時に、ハードディスクホルダ８の取付孔８３ａの位置は、底板部７１の開口７１ｃと、回路基板５の取付孔５ｄと、上シャーシ６の取付孔６ｄと、下シャーシ４の取付孔４ｄの位置に一致する。すなわち、開口７１ｃと、取付孔５ｄ，６ｄ，４ｄとが上下方向に連なる。
【００４４】
作業者は、ハードディスク装置３のコネクタ部をコネクタ５１に嵌合させた後に、ハードディスク挿入口７２ａに挿入口キャップ１２を装着する。これによって、挿入口キャップ１２の取付孔１２ｅの位置も、取付孔４ｄ等に一致する。その後、作業者は、螺子１３を開口７１ｃから取付孔８３ａ，６ｄ，５ｄ，４ｄに挿通し、当該螺子１３を締め付ける。
【００４５】
以上説明したように、電子機器１では、前板部７２にハードディスク挿入口７２ａが形成され、回路基板５のコネクタ５１は、ハードディスク挿入口７２ａの奥部において、当該ハードディスク挿入口７２ａと向き合うように配置されている。また、ハードディスク装置３を電子機器１に固定する螺子１３は、底板部７１から挿通されている。
【００４６】
このような電子機器１によれば、回路基板５のコネクタ５１がハードディスク挿入口７２ａと向き合うように配置されているので、ハードディスク装置３とコネクタ５１との接続状態に対する螺子１３の締め付け具合の影響を低減できる。
【００４７】
また、以上説明したように、ハードディスクホルダ８は、ハードディスク装置３を保持するホルダ本体８０から張り出し、ハードディスクホルダ８を電子機器１に固定する螺子１３が挿通される取付孔８３ａが形成された板状の取付プレート８３を含んでいる。そして、取付プレート８３は、底板部８１を含む平面に沿うように形成されている。このハードディスクホルダ８によれば、ハードディスク装置３とコネクタ５１との接続状態に対する螺子１３の締め付け具合の影響を低減できる。
【００４８】
なお、本発明は以上説明した電子機器１に限られず、種々の変更が可能である。例えば、以上の説明では、前板部７２にハードディスク挿入口７２ａが形成されていた。しかしながら、ハードディスク挿入口７２ａの位置はこれに限られず、例えば、横板部７３に形成されてもよい。
【００４９】
また、以上の説明では、ハードディスク装置３を電子機器１に固定する螺子１３は、回路基板５の上シャーシ６及び下シャーシ４への固定にも利用されていた。しかしながら、螺子１３は、ハードディスク装置３を上シャーシ６や、下シャーシ４、下ハウジング７０の底板部７１に固定するためだけに利用されてもよい。
【００５０】
また、以上の説明では、ハードディスク装置３は下ハウジング７０の底板部７１上に配置されていた。しかしながら、ハードディスク装置３は下シャーシ４や回路基板５、上シャーシ６の上に配置されてもよい。
【符号の説明】
【００５１】
１  電子機器、３  ハードディスク装置、４  下シャーシ、４ａ，４ｄ  取付孔、５  回路基板、５ａ，５ｄ  取付孔、６  上シャーシ、６ａ，６ｄ  取付孔、７  ハウジング、８  ハードディスクホルダ、１２  挿入口キャップ、１２ｄ  取付部、１２ｅ  取付孔、１３  螺子（ピン状の固定具）、１４  キャップ、５１  コネクタ、６１  収容部、７０  下ハウジング、７１  底板部（第１の外板部）、７１ａ  取付孔、７１ｃ  開口、７２  前板部（第２の外板部）、７２ａ  ハードディスク挿入口、７３  横板部、７６  上ハウジング、８０  ホルダ本体、８１  底板部、８１ｅ  孔、８３  取付プレート、８３ａ  取付孔。
【図１】
2010244214.tif 000003
【図２】
2010244214.tif 000004
【図３】
2010244214.tif 000005
【図４】
2010244214.tif 000006
【図５】
2010244214.tif 000007
【図６】
2010244214.tif 000008
【図７】
2010244214.tif 000009
【図８】
2010244214.tif 000010
【図９】
2010244214.tif 000011
【図１０】
2010244214.tif 000012
【図１１】
2010244214.tif 000013
【図１２】
2010244214.tif 000014
【図１３】
2010244214.tif 000015